(57)【要約】【課題】  屋外に配設された蛇口の水栓部分を覆い隠して施錠し、いたずらや無断使用を防止する蛇口の盗水防止装置を提供する【解決手段】  水が通過する蛇口胴部３と、胴部３の一側部に設けられた流水調整用の水栓部５と、水栓部５に設けられた回転軸６と、回転軸６に着脱する回転ハンドルとを有した蛇口において、ハンドルを外して露出した回転軸部分を被嵌し、蛇口胴部の両側を挟んだ状態で囲うコの字部材８と、このコの字部材８の先端部分に掛け渡して蛇口にコの字部材を固定するピン９と、ピン９とコの字部材８が外れないように施錠する鍵１０とを有している。【選択図】      図１
0003112434.tif 000002
【実用新案登録請求の範囲】
【請求項１】
水が通過する蛇口胴部と、胴部の一側部に設けられた流水調整用の水栓部と、水栓部に設けられた回転軸と、回転軸に着脱する回転ハンドルとを有した蛇口において、
回転ハンドルまたは回転軸を覆い隠す被嵌部と、被嵌部を蛇口本体に固定する固定部と、固定部と蛇口本体が外れないように施錠する施錠部とを有したことを特徴とする蛇口の盗水防止装置。
【請求項２】
水が通過する蛇口胴部と、胴部の一側部に設けられた流水調整用の水栓部と、水栓部に設けられた回転軸と、回転軸に着脱する回転ハンドルとを有した蛇口において、
ハンドルを外して露出した回転軸部分を被嵌し、蛇口胴部の両側を挟んだ状態で囲うコの字部材と、
そのコの字部材の先端部分に掛け渡して蛇口にコの字部材を固定するピンと、
ピンとコの字部材が外れないように施錠する鍵とを有したことを特徴とする蛇口の盗水防止装置。
【請求項３】
コの字部材には回転軸に係合する係合部が備えられ、この係合部を回転軸に係合させて蛇口の盗水防止装置のズレを防止することを特徴とする請求項２記載の蛇口の盗水防止装置。
【考案の詳細な説明】
【技術分野】
【０００１】
本考案は蛇口の盗水防止装置に関する。
【背景技術】
【０００２】
一般的に、住宅、マンション等の屋外には水道の蛇口が配設され、外壁の洗浄、車の洗浄、水の散布等に使用されている。
これらの蛇口は、いたずらや無断使用を防止するため、ハンドル部分が着脱自在に構成されて、使用時のみハンドルを装着して水栓部の回転軸を回転できるようにしている。
【考案の開示】
【考案が解決しようとする課題】
【０００３】
しかしながら、前記従来の蛇口はハンドルを外しても回転軸の先端が露出するため、回転軸を工具等によって回転させることができ、また、水栓部の取付けボルト等を工具等によって回転させることができ、いたずらや無断使用を有効に防止できないという問題があった。
本考案はかかる従来の問題点を解決するためになされたものであって、その目的とするところは、屋外に配設された蛇口の水栓部分を覆い隠して施錠し、いたずらや無断使用を防止する蛇口の盗水防止装置を提供することにある。
【課題を解決するための手段】
【０００４】
前記目的を達成するための手段として本考案請求項１記載の蛇口の盗水防止装置では、水が通過する蛇口胴部と、胴部の一側部に設けられた流水調整用の水栓部と、水栓部に設けられた回転軸と、回転軸に着脱する回転ハンドルとを有した蛇口において、回転ハンドルまたは回転軸を覆い隠す被嵌部と、被嵌部を蛇口本体に固定する固定部と、固定部と蛇口本体が外れないように施錠する施錠部とを有している。
【０００５】
請求項２記載の蛇口の盗水防止装置では、水が通過する蛇口胴部と、胴部の一側部に設けられた流水調整用の水栓部と、水栓部に設けられた回転軸と、回転軸に着脱する回転ハンドルとを有した蛇口において、ハンドルを外して露出した回転軸部分を被嵌し、蛇口胴部の両側を挟んだ状態で囲うコの字部材と、そのコの字部材の先端部分に掛け渡して蛇口にコの字部材を固定するピンと、ピンとコの字部材が外れないように施錠する鍵とを有している。
【０００６】
請求項３記載の蛇口の盗水防止装置では、請求項２記載の蛇口の盗水防止装置において、コの字部材には回転軸に係合する係合部が備えられ、この係合部を回転軸に係合させて蛇口の盗水防止装置のズレを防止する構成とした。
【考案の効果】
【０００７】
以上説明してきたように、本考案請求項１記載の蛇口の盗水防止装置においては、回転ハンドルまたは回転軸を覆い隠す被嵌部と、被嵌部を蛇口本体に固定する固定部と、固定部と蛇口本体が外れないように施錠する施錠部とを有しているので、被嵌部が回転ハンドルまたは回転軸を覆い隠し、固定部及び施錠部によって施錠固定した後は蛇口のいたずらや無断使用が防止される。
【０００８】
請求項２記載の蛇口の盗水防止装置においては、コの字部材とその先端部分に掛け渡すピンと、ピンの先端をロックする鍵とによって構成したので簡易な機構で確実に回転軸部分を閉塞することができる。
【０００９】
請求項３記載の蛇口の盗水防止装置では、コの字部材には回転軸に係合する係合部が備えられているので、この係合部を回転軸に係合させることにより、ズレを防止して確実に回転軸部分を閉塞することができる。
【考案を実施するための最良の形態】
【００１０】
本考案の蛇口の盗水防止装置を装着する蛇口について説明する。
一般的に屋外に配設される蛇口には、いたずらや無断使用を防止するためにハンドルを着脱式としたものがある。これは、使用時のみハンドルを装着して水栓部の弁を開放し、平時はハンドルを取り外して使用できないようにしている。
この着脱式ハンドルを備えた蛇口１は図１に示すように、給水管への取付け口２と、弁体を内蔵した胴部３と、胴部３から前方に伸びた放出ノズル４を備えている。
胴部３は水が通過する水平部分であり、その水平部分に直行して上方に水栓部５が立ち上り、水栓部５の内部には回転軸６及び弁体が配置され、それら回転軸６及び弁体は取付けボルト７によってセットされている。
【００１１】
前記水栓部５の上端には回転軸６が露出し、使用時にはこの回転軸６に専用のハンドルを装着し、回転軸６を回転させて、内部の弁を上下させて、水の放出量を調節するようになっている。
蛇口１の大きさは用途に応じてさまざまであるが、一般家庭用の給水管は直径２ｃｍ程度であり、蛇口の大きさもそれに対応したものとなっている。
【００１２】
次に、本考案の蛇口の盗水防止装置について説明する。  
本考案の蛇口の盗水防止装置は、前記着脱自在のハンドルを備えた蛇口に装着する装置であり、その構成はステンレス、アルミ等の金属によって構成されるコの字部材８と、コの字部材８の先端に掛け渡されるピン９と、ピン９とコの字部材８を外れないように固定する鍵１０とによって構成されている。
前記コの字部材８は厚さ２〜３ｍｍ、幅３０〜４０ｍｍ、長さ数十ｃｍの長方形の鋼板をコの字に溶接又は折り曲げた部材であり、両側の側板１１と、中央部の基板１２とによって構成されている。側板１１同士は互いに平行であり、その間隔は蛇口の胴部を挟む幅であり、蛇口の形状・大きさにもよるが、３ｃｍ程度となっている。
側板１１の長さは蛇口の水栓部の上端から胴部下端よりもやや長く、８〜１０ｃｍとなっている。
また、側板１１の先端にはそれぞれピン挿通孔１３が形成され、ピン９が両側の側板を貫いて掛け渡されるようになっている。
前記基板１２の内側には円形の枠１４（係合部）が形成され、この枠１４に回転軸６の上端が嵌合し、コの字部材８と蛇口１がずれるのを防止する。
係合枠１４の大きさは回転軸６の外周に嵌め込むことができる程度の大きさであるが、水栓部５の外周に嵌め込む大きさとしても適用可能である。
【００１３】
前記ピン９は径太の頭部１５と、頭部１５から延びた円柱の直状部１６と、直状部先端の鍵孔１７によって構成され、コの字部材８の挿通孔１３に挿通すると、頭部１５が一方側の孔に係止し、他方側の孔には先端の鍵孔１７が露出し、鍵孔１７に鍵１０を通して施錠すると、ピン９がコの字部材８から外れないようになっている。
ピン９を挿通して施錠することにより、コの字部材８が上方に抜けるのが阻止されて固定される。
【００１４】
蛇口の盗水防止装置を使用する場合には、まず、着脱式のハンドルを取り外す。
すると、水栓部５の上端には回転軸６が露出するので、コの字部材８の側板１１と側板１１の間に蛇口１の胴部３をすべり込ませて、回転軸６の真上からコの字部材８を装着する。
このとき、基板１２の内側の係合枠１４を回転軸６の外周に嵌め込み、前後・左右のズレを防止する。
【００１５】
コの字部材８を装着すると、側板の下端は蛇口の胴部３の下方に突出する。
その突出した部分にはピンの挿通孔１３が形成されているので、挿通孔１３の一方側からピン９を挿入し、ピン９の先端の鍵孔１７を反対側の挿通孔の外側へ突出させる。
ピンの径太頭部１５は挿通孔に引っ掛かってストップし、他方側の挿通孔１３に突出した鍵孔１７に鍵を挿通してロックするとピン９は外れず、コの字部材８は蛇口１に固定される。
このように装着することにより、コの字部材８は上方へ外れるのをピン９が阻止し、前後左右にずれるのを係合部１４が阻止する。
蛇口の盗水防止装置を装着すると、蛇口１の回転軸６はコの字部材８によって覆われ、いたずらや無断使用は防止される。
【００１６】
以上、本考案の実施の形態を説明してきたが、本考案の具体的な構成は本実施の形態に限定されるものではなく、考案の要旨を逸脱しない範囲の設計変更等があっても本考案に含まれる。
例えば、前記実施の形態ではピンを使用したが、ピンの代わりに挿通孔に直接鍵を挿通して固定する方法としても良い。
また、前記実施の形態で説明した係合部については、省略する場合であっても本考案に含まれる。
そして、前記実施の形態では係合部を回転軸の外周に嵌め込む構成としたが、係合部を水栓部の外周に嵌め込む場合であっても本考案に含まれる。
【図面の簡単な説明】
【００１７】
【図１】蛇口の盗水防止装置の分解斜視図である。
【図２】蛇口の盗水防止装置を装着した状態の斜視図である。
【符号の説明】
【００１８】
１  蛇口  
２  取付け口
３  胴部
４  放出ノズル
５  水栓部
６  回転軸
７  取付けボルト
８  コの字部材
９  ピン
１０  鍵
１１  側板
１２  基板
１３  挿通孔
１４  枠
【図１】
0003112434.tif 000003
【図２】
0003112434.tif 000004